(57)【要約】【課題】動画を大量に記録してもコストを安くし、動画の大量記憶の用に供することを可能とする撮像装置を提供すること。【解決手段】撮像装置は、繰り返しデータを書き込み可能な第一の記録媒体と、一回に限りデータを書き込み可能な第二の記録媒体のうちの一方を選択して、前記撮像手段により得られた画像データを書き込む書き込み手段と、静止画撮影モードにおいては前記第一の記録媒体を選択して前記画像データを書き込み、動画記録モードにおいては前記第二の記録媒体を選択して前記画像データを書き込むよう前記書き込み手段を制御する制御手段とを備える構成とした。【選択図】      図３
2004242252.tif 000002
【特許請求の範囲】
【請求項１】
静止画撮影モードと動画撮影モードとを有する撮像装置において、
撮像手段と、
繰り返しデータを書き込み可能な第一の記録媒体と、一回に限りデータを書き込み可能な第二の記録媒体のうちの一方を選択して、前記撮像手段により得られた画像データを書き込む書き込み手段と、
前記静止画撮影モードにおいては前記第一の記録媒体を選択して前記画像データを書き込み、前記動画記録モードにおいては前記第二の記録媒体を選択して前記画像データを書き込むよう前記書き込み手段を制御する制御手段とを備える撮像装置。
【請求項２】
前記第一の記録媒体と第二の記録媒体はメモリカードであることを特徴とする請求項１記載の撮像装置。
【請求項３】
前記第一の記録媒体と第二の記録媒体は近接したスロットに装着されることを特徴とする請求項１記載の撮像装置。
【請求項４】
静止画撮影モードと動画撮影モードとを有する撮像装置において、
撮像手段と、
繰り返しデータを書き込み可能な第一の記録媒体に対して前記撮像手段により得られた画像データを書き込む書き込み手段と、
一回に限りデータを書き込み可能な第二の記録媒体に対してデータを書き込む外部装置に対して伝送路を介して前記撮像手段により得られた画像データを送信する送信手段と、
前記静止画撮影モードにおいては前記第一の記録媒体に対して前記画像データを書き込むよう前記書き込み手段を制御すると共に、前記動画記録モードにおいては前記第二の記録媒体に対して前記画像データを書き込むべく前記外部装置に対して前記撮像手段により得られた画像データを送信するよう前記送信手段を制御する制御手段とを備える撮像装置。
【請求項５】
静止画撮影モードと及び動画撮影モードとを有する撮像装置において、
撮像手段と、
一回に限りデータを書き込み可能な第二の記録媒体に対して前記撮像手段により得られた画像データを書き込む書き込み手段と、
繰り返しデータを書き込み可能な第一の記録媒体に対してデータを書き込む外部装置に対して伝送路を介して前記撮像手段により得られた画像データを送信する送信手段と、
前記静止画撮影モードにおいては前記第二の記録媒体に対して前記画像データを書き込むよう前記書き込み手段を制御すると共に、前記動画記録モードにおいては前記第一の記録媒体に対して前記画像データを書き込むべく前記外部装置に対して前記撮像手段により得られた画像データを送信するよう前記送信手段を制御する制御手段とを備える撮像装置。
【請求項６】
静止画撮影モードと動画撮影モードとを有し、撮像手段により得られた画像データを記録媒体に記録する方法であって、
繰り返しデータを書き込み可能な第一の記録媒体と、一回に限りデータを書き込み可能な第二の記録媒体のうちの一方を選択して、前記撮像手段により得られた画像データを書き込む書き込みステップと、
前記静止画撮影モードにおいては前記第一の記録媒体を選択して前記画像データを書き込み、前記動画記録モードにおいては前記第二の記録媒体を選択して前記画像データを書き込むよう前記書き込みステップを制御する制御ステップとを備える撮像方法。
【請求項７】
静止画撮影モードと動画撮影モードとを有し、撮像手段により得られた画像データを記録媒体に記録する方法であって、
繰り返しデータを書き込み可能な第一の記録媒体に対して前記撮像手段により得られた画像データを書き込む書き込みステップと、
一回に限りデータを書き込み可能な第二の記録媒体に対してデータを書き込む外部装置に対して伝送路を介して前記撮像手段により得られた画像データを送信する送信ステップと、
前記静止画撮影モードにおいては前記第一の記録媒体に対して前記画像データを書き込むよう前記書き込み手段を制御すると共に、前記動画記録モードにおいては前記第二の記録媒体に対して前記画像データを書き込むべく前記外部装置に対して前記撮像手段により得られた画像データを送信するよう前記送信ステップを制御する制御ステップとを備える撮像方法。
【請求項８】
静止画撮影モードと及び動画撮影モードとを有し、撮像手段により得られた画像データを記録媒体に記録する方法であって、
一回に限りデータを書き込み可能な第二の記録媒体に対して前記撮像手段により得られた画像データを書き込む書き込みステップと、
繰り返しデータを書き込み可能な第一の記録媒体に対してデータを書き込む外部装置に対して伝送路を介して前記撮像手段により得られた画像データを送信する送信ステップと、
前記静止画撮影モードにおいては前記第二の記録媒体に対して前記画像データを書き込むよう前記書き込みステップを制御すると共に、前記動画記録モードにおいては前記第一の記録媒体に対して前記画像データを書き込むべく前記外部装置に対して前記撮像手段により得られた画像データを送信するよう前記送信ステップを制御する制御ステップとを備える撮像方法。
【発明の詳細な説明】
【０００１】
【発明の属する技術分野】
本発明は撮像装置に関し、詳しくは、静止画及び動画撮影する装置に関する。
【０００２】
【従来の技術】
従来、静止画撮影機能と動画撮影機能を有する撮像装置が多数提案され、既に実用化されている。例えば、下記公報にも記載されている。
【０００３】
【特許文献１】
特開２００３−８９８１号公報
【０００４】
【発明が解決しようとする課題】
しかしながら、上記撮像装置においては以下のような問題が存在した。
【０００５】
即ち、動画の画像情報を長時間にわたって記録すると画像情報データが膨大になってしまうので、繰り返しリードライト可能な記録媒体である通常のＣＦカード、ＳＤカードその他のメモリカード等に代表される記録媒体で動画を記録すると、大量に記憶容量が必要となる。従って、動画撮影を行う場合には非常にコスト高となってしまうという問題があった。
【０００６】
また、動画の撮影記録を消去して記憶容量を確保しようとしても、動画についてはその経過時間のごく一部にでも興味あるシーンが残されている場合があるので、なかなか消去に躊躇する場合も多く、低いコストを維持して動画を撮影するのは難しかった。
【０００７】
本発明はこの様な問題を解決し、安価な構成で動画像と静止画像を記録可能とすることを目的とする。
【０００８】
【課題を解決するための手段】
前記目的を達成するため、本発明によれば、静止画撮影モードと動画撮影モードとを有する撮像装置において、撮像手段と、繰り返しデータを書き込み可能な第一の記録媒体と、一回に限りデータを書き込み可能な第二の記録媒体のうちの一方を選択して、前記撮像手段により得られた画像データを書き込む書き込み手段と、前記静止画撮影モードにおいては前記第一の記録媒体を選択して前記画像データを書き込み、前記動画記録モードにおいては前記第二の記録媒体を選択して前記画像データを書き込むよう前記書き込み手段を制御する制御手段とを備える撮像装置が提示される。
【０００９】
【発明の実施の形態】
以下、添付図面に従って本発明係る実施形態を詳細に説明する。なお、全図を通して同一符号は同一又は相当部分を示すものとする。
【００１０】
（第一の実施の形態）
図１は、第一の実施形態における撮像装置の構成、及び、時として撮像装置に接続される他の情報機器であるＰＣ部の構成を示す図である。また、図２は、本形態における撮像装置の外観図である。
【００１１】
図１及び図２において、１００はデジタルカメラ等の撮像装置であり、静止画及び動画を電子データとして記録する。撮像装置１００には、のシャッター２２Ａ、電源スイッチ２２Ｂ、モード設定用ジョグダイヤル２２Ｃ、ＺＯＯＭ＆ＷＩＤＥボタン２２Ｄ、表示＆ファイル操作関連ボタン２２Ｅ、ＤＩＳＰボタン２２Ｆ等が備わっている。そして、これらを総合して操作部２２を形成している。また、液晶ディスプレー等によって表示部２０が形成されており、被撮影画像、既に撮影された画像、及び、ユーザへの操作ガイド等が表示される。
【００１２】
また、撮影時等は蓋５５によって覆われているが、その内側には第一の記録媒体の収納部３５があり、この第一の記録媒体の収納部３５には同一アドレスに対し繰り返しリードライト可能な第一の記録媒体３０が装填されている。即ち、第一の記録媒体３０とは、通常のＣＦカード等の繰り返しリードライト可能なメモリカード等がこれに該当する。
【００１３】
一方、同様に蓋５５によって覆われる部分であり、第一の記録媒体の収納部３５に隣接する位置に、第二の記録媒体の収納部４５があり、この第二の記録媒体の収納部４５には、同一アドレスに対してリードは繰り返し可能であるがライトは一度だけ可能である、ワンタイム記録媒体である第二の記録媒体４０が装填されている。すなわち、第二の記録媒体４０とは、ワンタイム仕様のＣＦカード等ワンタイム仕様のメモリカード等がこれに該当する。
【００１４】
撮像装置１００の内部構造等に関して説明すると、図１において、Ａは被撮影画像、１１はレンズ等の光学系、１２は撮像素子であるＣＣＤ（またはＣＭＯＳエリアセンサ等）、１３はＡＤ変換部である。次に、１４はＡＤ変換部１３を経由して入力されたデジタル画像入力信号に対してシェーディング補正やガンマ変換等人間の視覚に適応したＲＧＢ信号に信号処理等する画像処理部である。また、１５はＲＡＭコントローラであり、メインＣＰＵバス２９に接続されるとともに記憶手段としてのＲＡＭ１６に接続されている。
【００１５】
１７はこの撮像装置１００全体の制御を司るメインＣＰＵ、１８はこの撮像装置全体の制御方法等が記述されたＲＯＭ、１９はＲＯＭ１８とメインＣＰＵバス２９とのインターフェースの役割を果たすＲＯＭＩＦである。
【００１６】
次に、８０は他の情報機器等との通信機能を果たすべき通信手段としての通信用回路である。この通信用回路８０には、ＵＳＢ、ＬＡＮ、無線ＬＡＮ等といった規格を満たす回路が該当し、この回路を経由することにより、パーソナルコンピュータやプリンタ等の他の情報機器２００と、他の情報機器に搭載される通信部２８０を介して通信できる。これにより、当該撮像装置で撮影した画像等をパーソナルコンピュータへ送ったり、プリンタ等で直接印刷したりすることが可能となる。また、他の情報機器２００から撮像装置１００を遠隔操作することも可能となる。
【００１７】
また、表示部２０は、表示部ＩＦ２１を介してメインＣＰＵバス２９に接続され、メインＣＰＵ１７から駆動することが可能となっている。同様に、上述した操作部２２は操作部ＩＦ２３を介してメインＣＰＵバス２９に接続され、この結果、操作部２２を通じて入力される操作者からの命令を撮像装置１００は認識することができるようになっている。
【００１８】
更に、図１に示す通り、上述した第一の記録媒体３０は、第一の記録媒体用ＩＦ３１を介してメインＣＰＵバス２９に接続され、上述した第二の記録媒体４０は、第二の記録媒体用ＩＦ４１を介して、同様に、メインＣＰＵバス２９に接続されている。
【００１９】
図３（ａ）（ｂ）は本形態における撮像装置の動作を示すフローチャートである。図１及び図２に示した構成において、図３のフローチャートを使用して、本形態における撮像装置１００の動作等について説明する。
【００２０】
まずは図３（ａ）に示すイニシャルシーケンスについて説明する。
【００２１】
まず、操作者が電源スイッチ２２Ｂを押すと、操作部ＩＦ２３によって電源ＯＮが検知され、省電力モードで動いていたメインＣＰＵ１７にこのことが伝えられる。これにより、メインＣＰＵは通常モードに入り、撮像装置全体に通電される（Ｓ３０１）。そして、パワーＯＮリセット動作の後、当該撮像装置は、図３（ａ）に示すイニシャルシーケンスを実行する。
【００２２】
本形態では、まず、メインＣＰＵ１７が第一の記録媒体用ＩＦ３１にアクセスすることにより、第一の記録媒体３０が装填されているかどうかのチェックを行った後（Ｓ３０２）、第一の記録媒体の残容量チェックを行う（Ｓ３０３）。次に、メインＣＰＵ１７が第二の記録媒体用ＩＦ４１にアクセスすることにより、第二の記録媒体４０が装填されているかどうかのチェックを行った後（Ｓ３０４）、第二の記録媒体の残容量チェックを行う（Ｓ３０５）。
【００２３】
その後、メインＣＰＵ１７は、撮像装置１００の状態が静止画撮影モードにあるか、動画撮影モードにあるか、または、再生モードにあるかどうかをチェックする（Ｓ３０６）。これらのモードについては、モード設定用ジョグダイヤル２にＣを回転させることにより操作者によって設定され、これに応じて操作部ＩＦ２３では、どのモードに入ったかがレジスタセットされる。メインＣＰＵ１７がその操作部ＩＦ２３のレジスタをリードアクセスすることにより、メインＣＰＵ１７は撮像装置１００の被設定モードを認識することができる。
【００２４】
以上のチェック動作の結果に応じて、メインＣＰＵ１７はその他各種初期化動作を実行し（Ｓ３０７）、撮像装置１００をスタンバイ状態にセットして（Ｓ３０８）、次の動作を待つこととする。
【００２５】
今、電源ＯＮ直後の状態においては、撮像装置１００は再生モードではなく静止画撮影モードまたは動画撮影モードにセットされていたとする。この場合、上記イニシャルシーケンスにおける最後の工程であるスタンバイ状態セット工程（Ｓ３０８）では、シャッター２２Ａを押すとすぐに静止画または動画を撮影可能な状態にセットして撮像装置１００がスタンバイ状態となる。この工程が完了したならば当該シーケンスを終了し、スタンバイ状態をその後継続する。
【００２６】
また、スタンバイ状態において、操作者がジョグダイヤル２２Ｃを回転させることによって、静止画撮影モード／動画撮影モード／再生モード間でモード切り替えを行った場合、操作部ＩＦ２２を介してメインＣＰＵ１７に対して割り込みを発生させて、かつ、メインＣＰＵ１７が、その操作部ＩＦ２３のレジスタをリードアクセスすることにより、メインＣＰＵ１７は、撮像装置１００のモードを変更する。
【００２７】
今、撮像装置１００が静止画撮影モードまたは動画撮影モードにあり、かつ、書き込みのための残容量を充分に持った、繰り返しリードライト可能な第一の記録媒体３０、及び、やはり書き込みのための残容量を充分に持った、ワンタイム記録媒体である第二の記録媒体４０が装填されている状態で、スタンバイ状態にあるとする。
【００２８】
この状態でシャッター２２Ａを押すと撮像動作に入るが、撮像動作に関して当該撮像装置は、図３（ｂ）に示す撮像シーケンスを実行する。
【００２９】
当該シーケンスでは、まず、操作者がシャッター２２Ａを押すことにより、操作部ＩＦ２２において撮影開始信号が発生し、これがメインＣＰＵ１７に伝えられ、撮影動作が開始される（Ｓ３５０、Ｓ３５１）。
【００３０】
撮影動作が開始されたならば、現在、静止画撮影モードにあるか、または、動画撮影モードにあるかどうかを確認する（Ｓ３５２）。この確認は、上記イニシャルシーケンス（図３（ａ））や上記モード変更時の際に、現在のモードをＲＡＭ１６上に確保したワークメモリエリア等に覚えさせておき、これをメインＣＰＵ１７がリードすることにより確認できる。または、再度メインＣＰＵ１７が操作部ＩＦ２３のレジスタをリードアクセスしてもよい。
【００３１】
最初に、撮像装置１００が、現在、静止画撮影モードにある場合について考える。
【００３２】
ここで、撮像装置１００は撮像動作に入るわけであるが、動作としては、光学系１１を介してＣＣＤ１２に入射されている被撮影画像Ａの像について、ＣＣＤ１２は画素ごとに光電変換し、ＡＤ変換部１３へ送る。ＡＤ変換部１３は各画素各色の濃淡に関するアナログ値をＡＤ変換し、画像処理部１４へ送る。次に、画像処理部１４は、入力されたデジタル画像入力信号に対してシェーディング補正やガンマ変換等人間の視覚に適応したＲＧＢ信号に信号処理等する。その結果、画像処理された静止画像データの各画素データ等はＲＡＭコントローラ１５を介して次々にＲＡＭ１６に書き込まれて格納される。１枚の画像についての全画素データ及び付属データがＲＡＭ１６に書き込まれることにより、撮像動作は終了する（Ｓ３６１）。
【００３３】
そして、１枚の画像についての全画素データ及び付属データがＲＡＭ１６に書き込まれたならば、現在静止画撮影モードにあることを確認することにより、これらを、繰り返しリードライト可能な第一の記録媒体３０を選択して転送し、この第一の記録媒体３０へ上記全画素データ及び付属データをすべて書き込む（Ｓ３６２）。
【００３４】
この書き込みがすべて終了することにより、撮像装置１００による一連の静止画撮影は完了し、被撮影画像Ａの静止画電子デジタルデータが第一の記録媒体３０上に記録されることとなる。
【００３５】
次に、撮像装置１００が、現在、動画撮影モードにある場合について考える。
【００３６】
操作者によってシャッター２２Ａが押されることにより撮影動作が開始され（Ｓ３５１）、動画撮影モードにあることが既に確認されているので（Ｓ３５２）、この状態で、撮像動作が開始される。
【００３７】
動作としては、光学系１１を介してＣＣＤ１２に入射されている被撮影画像Ａの像について、ＣＣＤ１２は画素ごとに光電変換し、ＡＤ変換部１３へ送る。ＡＤ変換部１３は各画素各色の濃淡に関するアナログ値をＡＤ変換し、画像処理部１４へ送る。次に、画像処理部１４は、入力されたデジタル画像入力信号に対してシェーディング補正やガンマ変換等人間の視覚に適応したＲＧＢ信号に信号処理等する。その結果、画像処理された各画素データ等はＲＡＭコントローラ１５を介して次々にＲＡＭ１６に書き込まれて格納される。ここまでは静止画像の場合とほぼ同じ動作である（Ｓ３７１）。
【００３８】
しかし、動画像の記録動作を行っていく場合、例えば、毎秒３０フレームの画像を次々に上記処理をし続けて保存する必要がある。これに対して、ＲＡＭ１６のワークエリアには限りがあるので、例えば、１枚（１フレーム）の画像についての画素データ及び付属データがＲＡＭ１６に書き込まれたならば、そのフレームの各画素データ等は、次のフレームの撮像動作（ＲＡＭ１６への書き込み等）を行いながら、同時に、記録媒体へ転送することとなる。
【００３９】
そして、この動画撮影モードで撮影する場合、記録媒体への転送に関しては、現在動画撮影モードにあることを確認することにより、これらを、リードは繰り返し可能であるがライトは一度だけ可能である、ワンタイム記録媒体である第二の記録媒体４０を選択して転送し、この第二の記録媒体４０へ上記全画素データ及び付属データをすべて書き込む（Ｓ３７２）。
【００４０】
そして、動画像の撮影中は常に上記第二の記録媒体４０の残容量をモニターし続ける必要がある（Ｓ３７３）。残容量が０となってしまったならば、操作者の意図にかかわらず、メインＣＰＵ１７から表示部２０へ向けてなんらかの表示を行ったうえでそこで撮像は強制終了する。
【００４１】
また、残容量をモニターするとともに動画の場合、どこで撮像を終了するかについてもモニターする。本実施の形態においては、最初にシャッター２２Ａ（操作部２２）を押した後、次にシャッター２２Ａ（操作部２２）を押されたことを検知して撮像を終了させる。すなわち、撮像中に操作者がシャッター２２Ａ（操作部２２）を押すことにより、操作部ＩＦ２２において、撮影終了信号が発生し、これがメインＣＰＵ１７に伝えられ  、撮影動作が終了される。
【００４２】
以上の動作により、動画撮影モードの場合では、撮像動作及び第二の記録媒体４０への転送及び書き込み動作を、撮影終了までの全フレームについて継続して行う。
【００４３】
撮影終了までの全フレームについて、第二の記録媒体４０への書き込みがすべて終了することにより、撮像装置１００による上記の一連の動画撮影は完了し、被撮影画像Ａに関する動画電子デジタルデータが第二の記録媒体４０上に得られることとなる。
【００４４】
以上のように、本形態によれば、静止画を繰り返しリードライト可能な第一の記録媒体３０に記録し、動画に関しては、リードは繰り返し可能であるがライトは一度だけ可能である、ワンタイム記録媒体である第二の記録媒体４０に記録する。
【００４５】
即ち、静止画／動画の別によって、記録媒体を変え、かつ、動画をワンタイム記録媒体側へ記録することとなる。
【００４６】
一般に、ワンタイム記録媒体であるワンタイム仕様のメモリカード等は、繰り返しリードライト可能な通常のメモリカード等に比べて安価である。これは、ワンタイム仕様のものは、ライトの繰り返しに対する動作保障が不要であるため、製造原価が安く、また、製品に対する評価コストも小さいといった理由による。
【００４７】
通常、撮像装置１００で撮影した静止画については、ユーザが再生モードを利用することによって、撮影した画像についてすぐにその内容を確認することができる。この結果、撮影内容について不要であると感じたならば、すぐにこれを削除することができるし、一方で、撮影内容について必要であると感じるが、メモリカードの容量を空けたい場合には、通信用回路８０を介して、他の情報機器２００へ送ること等がすぐ可能である。
【００４８】
しかし、動画に関しては、その内容の確認については、かなりの時間を必要とする。すなわち、動画の最初から最後までスキャンして確認する必要があるので、必要か不要かの判断はかなり大変である。その一方で、内容を確認せず消去しようとしても、その動画のごく一部にでも操作者にとって有益なシーンが内蔵されているかもしれないので、なかなか操作者は消去動作へ踏み切りにくいものがある。また、メモリカードの容量を空けるべく、通信用回路８０を介して、他の情報機器２００へ送ることも、動画の容量が大きいのでかなりの時間を消費してしまうこととなり、効率的でない。
【００４９】
その点、本形態によれば、静止画を繰り返しリードライト可能な第一の記録媒体３０に記録し、動画は、リードは繰り返し可能であるがライトは一度だけ可能である、ワンタイム記録媒体である第二の記録媒体４０に記録するため、動画を大量に記録してもコストが安いという利点が生じ、動画の大量記憶の用に供することとなる。
【００５０】
また、動画における必要なシーンを確認せずに捨ててしまうといった可能性が小さくなることとなり、静止画においても動画においても必要なシーンや有用なシーンを消すことなく、その後最大限に利用することが可能となる。
【００５１】
また、本形態によれば、ユーザは繰り返しリードライト可能な記憶媒体であるか、ワンタイム記録媒体であるかを意識せずに撮影可能であるため、ワンタイム記録媒体に静止画を記録する等の失敗や使い勝手の悪さ等はない。
【００５２】
以上のように、本形態によれば、非常に利便性が高くなり、非常に有益であると言える。
【００５３】
（第二の実施の形態）
続いて第二の実施形態について説明する。
【００５４】
図４は、本形態における撮像装置１００と撮像装置１００に接続される記録媒体ドライバ装置３００の構成を示す図である。また、図５は、本形態における撮像装置１００と撮像装置１００に接続された記録媒体ドライバ装置３００の、接続された状態の外観図である。
【００５５】
図４及び図５において、１００はデジタルカメラ等の撮像装置であり、静止画及び動画を電子データとして記録するものであるが、第一の実施形態における図１及び図２に示した撮像装置と比較して、同一符号は同一機能ブロックを示していて、図１及び図２に対応している。
【００５６】
本形態における撮像装置１００には、撮影時等に蓋５５によって覆われている部分の内側には第一の記録媒体の収納部３５は装着されているものの、第二の記録媒体の収納部は存在しない点で第一の実施形態と異なる。
【００５７】
その一方で、この第一の記録媒体の収納部３５には繰り返しリードライト可能な第一の記録媒体３０が装填されているのは第一の実施形態と同様である。ここで、第一の記録媒体３０とは、通常のＣＦカード等の繰り返しリードライト可能なメモリカード等がこれに該当する点は第一の実施形態と同様である。
【００５８】
一方、撮像装置１００の内部構造等に関しても、第一の実施形態で示した図１に示した撮像装置と比較して、同一符号は同一機能ブロックを示しているが、上述のとおり、本形態における撮像装置１００には、第二の記録媒体の収納部は存在しないので、第二の記録媒体や第二の記録媒体ＩＦは、撮像装置１００の内部には存在しない。
【００５９】
本形態においては、他の情報機器等との通信機能を果たすべき通信手段としての通信用回路８０を介して、撮像装置１００が記録媒体ドライバ装置３００とケーブル６００を経由して接続されている点が、第一の実施形態と異なる。
【００６０】
図４に示すように、記録媒体ドライバ装置３００は、少なくとも、ＣＰＵ３１７、通信部３８０と、第二の記録媒体ＩＦ３４１を具備していて、記録媒体ドライバ装置３００におけるＣＰＵバス３２９に接続されている。そして、通信部３８０は、上記撮像装置１００の通信用回路８０と接続されている。
【００６１】
また、図５に示すように、記録媒体ドライバ装置３００は、第二の記録媒体の収納部３４５があり、この第二の記録媒体の収納部３４５には、リードは繰り返し可能であるがライトは一度だけ可能である、ワンタイム記録媒体である第二の記録媒体３４０が装填されている。ここで、第二の記録媒体３４０とは、ワンタイム仕様のＣＦカード等、ワンタイム仕様のメモリカード等がこれに該当するのは第一の実施形態と同様である。
【００６２】
そして、図４に示す通り、撮像装置１００内にある第一の記録媒体３０は、第一の記録媒体用ＩＦ３１を介して撮像装置１００におけるメインＣＰＵバス２９に接続されており、その一方で、記録媒体ドライバ装置３００内にある第二の記録媒体３４０は、第二の記録媒体用ＩＦ３４１を介して、記録媒体ドライバ装置におけるＣＰＵバス３２９に接続されている。
【００６３】
以上のことから、本形態においては、撮像装置１００のメインＣＰＵ１７と記録媒体ドライバ装置３００のＣＰＵ３１７とは通信可能であり、この両者のネゴシエーションが成立した後は、撮像装置１００のメインＣＰＵバス２９から通信用回路８０、ケーブル６００、記録媒体ドライバ装置３００における通信部３８０、そのＣＰＵバス３２９、第二の記録媒体ＩＦ３４１を経由して、直接、第二の記録媒体３４０に各種データを書き込むことができる。
【００６４】
以上のように本発明第二の実施の形態においては、第二の記録媒体３４０が直接撮像装置１００内に存在するわけでなく、通信用回路８０等を経た先である記録媒体ドライバ装置３００内にある点が異なる。
【００６５】
図３（ｃ）（ｂ）は、本形態における撮像システムの動作を示すフローチャートである。図４及び図５に示した構成において、本形態における撮像装置１００等の動作等は図３（ｃ）（ｂ）に示すフローチャートに示すようになるが、第一の実施形態と比較すると、イニシャルシーケンスを示す図３（ｃ）上のＳ３１１工程が加わった分が異なるが、他はシーケンス的には同一である。
【００６６】
即ち、イニシャルシーケンス図３（ｃ）において、記録媒体ドライバ装置３００と接続された状態で撮像装置１００の電源ＯＮが検知され、撮像装置１００全体に通電されると（Ｓ３０１）、第一の記録媒体３０が装填されているかどうかのチェック（Ｓ３０２）を行う前に、通信用回路８０の接続状況をチェックする（Ｓ３１１）。
【００６７】
現在、通信用回路８０には、上記の通り、記録媒体ドライバ装置３００が接続されているため、この接続状況チェックにより、記録媒体ドライバ装置３００との接続を検出する。
【００６８】
接続を検出したならば、撮像装置１００のメインＣＰＵ１７と記録媒体ドライバ装置３００のＣＰＵ１７で、それぞれの通信用回路８０と通信部３８０を介してネゴシエーションを行う（Ｓ３１１）。そしてそのネゴシエーションの結果、撮像装置１００は記録媒体ドライバ装置３００に第二の記録媒体３４０が接続されていることを認識する。
【００６９】
その結果、撮像装置１００は、通信用回路８０をアクセスすることにより、直接第二の記録媒体３４０をアクセスすることができるようになる。
【００７０】
そして、以後のイニシャルシーケンス図３（ｃ）と撮像シーケンス図３（ｂ）において、第一の実施形態と同様にイニシャルシーケンスと撮像シーケンスを行うことにより、第一の実施形態と同様の撮像結果が得られることとなる。但し、異なる点としては、通信用回路８０等を介して第二の記録媒体をアクセスする点であるが、シーケンス的に見れば、ほぼ同様の動作を行うこととなる。
【００７１】
この結果、本形態によれば、第一の実施形態と同様の効果が得られ、非常に利便性が高くなり、非常に有益であると言える。
【００７２】
加えて本形態によれば、撮像装置１００内に第二の記録媒体の収納部を設けなくても、別途、第二の記録媒体用ドライバを接続すれば、本発明第一の実施の形態と同様の効果が得られるため、非常に有益である。
【００７３】
（その他の実施の形態）
前述の実施形態では、繰り返しリードライト可能な第一の記録媒体３０とワンタイム記録媒体である第二の記録媒体４０を使用する実施の形態について説明してきた。
【００７４】
また、第一の記録媒体３０及び第二の記録媒体４０とＣＰＵバス２９との間は、第一の記録媒体用ＩＦ３１及び第二の記録媒体用ＩＦ４１を介して接続されている旨、説明してきた。
【００７５】
しかし、これら第一の記録媒体用ＩＦ３１及び第二の記録媒体用ＩＦ４１は必ずしも異なる構造であることは必要でなく、異なる構造であっても同一の構造であってもよい。また、第一の記録媒体用ＩＦ３１にしても、第二の記録媒体用ＩＦ４１にしても、必ずしも、繰り返しリードライト可能な第一の記録媒体３０専用のものであってもなくても、ワンタイム記録媒体である第二の記録媒体４０専用のものであってもなくてもよく、両方兼用できるもので構わない。
【００７６】
この場合、第一の記録媒体３０や第二の記録媒体４０がそれぞれ装着される際に、メインＣＰＵ１７からそれぞれ第一の記録媒体３０が装着されたか、第二の記録媒体４０が装着されたかを認識・確認する工程（それぞれの媒体のＩＤを読む等）が追加される場合も考えられるが、いずれにしても本発明の範囲内である。
【００７７】
また、第二の実施形態にあっては、撮像装置１００には、撮影時等に蓋５５によって覆われている部分の内側には第一の記録媒体の収納部３５は具備されているものの、第二の記録媒体の収納部は存在しない例について説明して、第二の記録媒体については、通信用回路８０等を介してアクセスする形態について説明した。
【００７８】
しかしながら、撮像装置１００に第二の記録媒体の収納部４５のみが具備されていて、第一の記録媒体の収納部３５が存在しない場合であっても、本発明の範囲内である。
【００７９】
即ち、第二の実施形態に対して、第一の記録媒体側と第二の記録媒体側とで構成を逆にするだけであるので、逆にする以外は上記形態と同様の構成で容易に実現可能である。
【００８０】
また、第二の実施形態において、第一の記録媒体の収納部３５と第二の記録媒体の収納部４５とでどちらか片方が撮像装置１００内に具備されていて、他方が、撮像装置１００内には存在しない場合について示したが、双方とも撮像装置１００内に具備されていない場合であっても、本発明の範囲内である。
【００８１】
即ち、通信用回路８０が撮像装置１００内に二系統以上具備されていて、その２つのチャンネルから第一の記録媒体、及び、第二の記録媒体にアクセスできれば、本発明を実施できるし、または、具備される通信用回路８０は一系統だけであっても、いわゆるＨＵＢ等を利用することにより、ツリー上構造で、第一の記録媒体を搭載した記録媒体ドライバ装置や、第二の記録媒体を搭載した記録媒体ドライバ装置にアクセスすることにより、各実施形態と同様の構成で本発明を実現できるし、さらには、一つの記録媒体ドライバ装置が第一の記録媒体と第二の記録媒体を両方搭載した構成で本発明を実現できる。
【００８２】
また、各実施形態にあっては、第一の記録媒体の収納部３５、及び、第二の記録媒体の収納部４５にそれぞれ第一の記録媒体３０と第二の記録媒体４０がそれぞれ装填されている場合を考えてきた。
【００８３】
もし、これ以外の場合、例えば、第一の記録媒体や第二の記録媒体がともに装填されていない場合、第一の記録媒体のみが装填されていて、第二の記録媒体が装填されていない場合、第二の記録媒体のみが装填されていて、第一の記録媒体が装填されていない場合がある。また、２つの記録媒体の装填部に対して、第一の記録媒体が２つ装填されている場合もあれば、第二の記録媒体が２つ装填されている場合も考えられる。
【００８４】
これらの場合、エラー表示を出して、撮影できなくする処理を実行する場合や、異種類の記録媒体の装填を操作者に促す処理も考えられる。また、このような場合、各実施形態による処理をＯＦＦにするが、撮影は可能とする場合、また、同一種類の記録媒体２つを静止画と動画で使い分ける場合等、さまざまなバリエーションが考えられる。
【００８５】
しかしながら、第一の記録媒体と第二の記録媒体がそれぞれ装填されている場合に、本発明が実施される場合が存在すれば足り、本発明の範囲内である。
【００８６】
また、通信用回路８０としての通信手段はいろいろありうる。この通信用回路８０には、ＵＳＢ、ＬＡＮ、無線ＬＡＮ等といった規格を満たす回路を掲げたがその他の規格でも構わないことは言うまでもなく、本発明の範囲内である。
【００８７】
その他本発明にはいろいろなバリエーションが考えられるが、上記各実施の形態は、それを否定するものではないことは言うまでもない。
【００８８】
【発明の効果】
以上説明した様に、本発明によれば、動画像データを一回のみ書き込み可能な記録媒体に記録するため、安価な構成で動画像と静止画像とを記録することが可能となる。
【図面の簡単な説明】
【図１】本発明が適用される撮像装置の構成を示す図である。
【図２】本発明の実施形態における撮像装置の外観図である。
【図３】本発明の実施形態における動作を示すフローチャートである。
【図４】本発明の第二の実施形態における撮像装置と撮像装置に接続される記録媒体ドライバ装置の構成を示す図である。
【図５】本発明の第二の実施形態における撮像装置と撮像装置に接続された記録媒体ドライバ装置の接続された状態の外観図である。
【図１】
2004242252.tif 000003
【図２】
2004242252.tif 000004
【図３】
2004242252.tif 000005
【図４】
2004242252.tif 000006
【図５】
2004242252.tif 000007